(57)【特許請求の範囲】
【請求項１】
第１アンテナの一方の出力側に接続され、第１周波数帯の信号を通過させる第１フィルタと、
この第１フィルタの出力側に接続された一方の入力から前記第１周波数帯の信号を受信する第１受信部と、
前記第１アンテナの他方の出力側に接続され、第２周波数帯の信号を通過させる第２フィルタと、
この第２フィルタの出力側に接続された一方の入力から前記第２周波数帯の信号を受信する第２受信部とを有し、
前記第１受信部の他方の入力から受信した第３周波数帯の信号と、前記第２受信部の他方の入力から受信した第３周波数帯域の信号とをダイバシティ受信する受信装置。
【請求項２】
第１アンテナの出力側に接続され、第１周波数帯の信号および第２周波数帯の信号を通過させる第３フィルタと、
この第３フィルタの一方の出力側に接続され、前記第２周波数帯以外の信号を通過させる第１フィルタと、
この第１フィルタの出力側に接続された一方の入力から前記第１周波数帯の信号を受信する第１受信部と、
前記第３フィルタの一方の出力側に接続され、前記第１周波数帯以外の信号を通過させる第２フィルタと、
この第２フィルタの出力側に接続された一方の入力から前記第２周波数帯の信号を受信する第２受信部とを有し、
前記第１受信部の他方の入力から受信した第３周波数帯の信号と、前記第２受信部の他方の入力から受信した第３周波数帯の信号とをダイバシティ受信する受信装置。
【請求項３】
前記第１周波数帯と前記第２周波数帯は互いに隣接した周波数関係にある請求項１又は請求項２に記載の受信装置。
【発明の詳細な説明】
【技術分野】
【０００１】
本発明は、高周波信号を受信する受信装置に関するものである。
【背景技術】
【０００２】
以下、従来の受信装置について図４を用いて説明する。図４において、受信装置１０１は、第１アンテナ１０２の出力側に並列接続された第１周波数帯域の信号を通過させる第１フィルタ１０３及び第２周波数帯域の信号を通過させる第２フィルタ１０４を有する。また、受信装置１０１は、第１フィルタ１０３からの第１周波数帯域の信号と第２フィルタ１０４からの第２周波数帯域の信号とを切り替えるスイッチ１３１を有する。さらに、受信装置１０１は、スイッチ１３１の出力側に一方の入力が接続され、かつ第２アンテナ１０５の出力側に他方の入力が接続された第１受信部１０９と、第３アンテナ１０７の出力側に接続された第２受信部１１０とを有する。また、受信装置１０１は、第１受信部１０９と第２受信部１１０とを用いて、第２アンテナ１０５からの第３周波数帯の信号と、第３アンテナ１０７からの第３周波数帯の信号とを復調部１１で合成しダイバシティ受信する。
【０００３】
なお、受信装置１０１は、チャンネル切替部（図示せず）を有し、第１周波数帯が選択された場合、チャンネル切替部は、スイッチ１３１を第１フィルタ１０３側に切り替えると共に第１受信部１０９に第１周波数帯の信号を受信させる。また、第２周波数帯の信号が選択された場合、チャンネル切替部は、スイッチ１３１を第２フィルタ１０４側に切り替えると共に第１受信部１０９に第２周波数帯の信号を受信させる。さらに、第３周波数帯の信号が選択された場合、チャンネル切替部は、第１受信部１０９及び第２受信部１１０に第３周波数帯の信号をダイバシティ受信させる。
【０００４】
なお、この出願の発明に関連する先行技術文献情報としては、例えば、特許文献１が知られている。
【特許文献１】特開２００５−１３０２７９号公報
【発明の開示】
【発明が解決しようとする課題】
【０００５】
従来の受信装置１０１は、第１アンテナ１０２と第１受信部１０９との間にチャンネル切替え用のスイッチ１３１が存在したため、スイッチ１３１で受信信号の低下（損失）が生じ、第１アンテナ１０２から受信した受信信号レベルが第１受信部１０９および第２受信部１１０の入力において低下し、受信感度が劣化するという問題があった。
【０００６】
そこで本発明は、このような問題を解決したもので、第１、第２受信部が第１アンテナから受信する信号の強度を向上させ、受信装置１０１の受信感度を改善することを目的とする。
【課題を解決するための手段】
【０００７】
この目的を達成するために本発明の受信装置における第１受信部は、第１フィルタの出力側に接続され、第１周波数帯の信号を受信する。また、第２受信部は、第２フィルタの出力側に接続され、第２周波数帯の信号を受信する。
【発明の効果】
【０００８】
上記構成により、受信信号の損失原因となるスイッチを介さずに、第１受信部は第１アンテナからの第１周波数帯の信号を受信し、第２受信部は第１アンテナからの第２周波数帯の信号を受信する。その結果、第１、第２受信部が第１アンテナから受信する信号の強度を向上させ、受信感度の改善が実現する。
【発明を実施するための最良の形態】
【０００９】
（実施の形態１）
以下、本発明における実施の形態１について図１を用いて説明する。図１は、本発明の実施の形態１における受信装置のブロック図である。
【００１０】
受信装置１は、第１アンテナ２の一方の出力側に接続された第１フィルタ３と、第１アンテナ２の他方の出力側に接続された第２フィルタ４とを有する。また、受信装置１は、第２アンテナ５の出力側に接続された第４フィルタ６と、第３アンテナ７の出力側に接続された第５フィルタ８とを有する。そして、受信装置１は、第１フィルタ３の出力側に一方の入力が接続され、第４フィルタ６の出力側に他方の入力が接続された第１受信部９と、第２フィルタ４の出力側に一方の入力が接続され、第５フィルタ８の出力側に他方の入力が接続された第２受信部１０とを有する。さらに、受信装置１は、第１受信部９及び第２受信部１０の出力側に接続された復調部１１とを有する。
【００１１】
第１アンテナ２は、例えば、ＶＨＦ（Ｖｅｒｙ Ｈｉｇｈ Ｆｒｅｑｕｅｎｃｙ）用アンテナであり、約９０MHｚから約２２０MHｚの周波数帯を受信する。
【００１２】
第２アンテナ５及び第３アンテナ７は、例えば、ＵＨＦ（Ｕｌｔｒａ Ｈｉｇｈ Ｆｒｅｑｕｅｎｃｙ）用のアンテナであり、約４７０MHｚから約７７０MHｚの周波数帯を受信する。
【００１３】
第１フィルタ３は、例えば、ＳＡＷ（Ｓｕｒｆａｃｅ Ａｃｏｕｓｔｉｃ Ｗａｖｅ）フィルタからなり、第１アンテナ２からの信号のうち、第１周波数帯であるＶＨＦ帯７チャンネルの信号を通過させる。つまり、第１フィルタ３は、ＶＨＦ帯７チャンネル以外の信号を減衰させ、特にＶＨＦ帯７チャンネルの上下隣接妨害の関係になる８チャンネル、６チャンネルを減衰させる。
【００１４】
第２フィルタ４は、例えば、ＳＡＷフィルタからなり、第１アンテナ２からの信号のうち、第２周波数帯であるＶＨＦ帯８チャンネルの信号を通過させる。つまり、第２フィルタ４は、ＶＨＦ帯８チャンネル以外の信号を減衰させ、特にＶＨＦ帯８チャンネルの上下隣接妨害の関係になる７チャンネル、６チャンネルを減衰させる。
【００１５】
なお、第１アンテナ２の出力側に、第１フィルタ３と第２フィルタ４とを切り替えるスイッチが設けられていても良い。これにより、第１フィルタ３と第２フィルタ４とがインピーダンス結合することを防止することができる。
【００１６】
第４フィルタ６及び第５フィルタ８は、例えば、セラミックフィルタや積層フィルタからなる。第４フィルタ６及び第５フィルタ８は、それぞれ第２アンテナ５、第３アンテナ７からの信号のうち、第３周波数帯域の信号であるＵＨＦ帯域の信号を通過させる。つまり、第４フィルタ６及び第５フィルタ８は、妨害信号となるＵＨＦ帯域以外の信号（ＶＨＦ帯、セルラー帯）を減衰させる。
【００１７】
第１受信部９は、第１フィルタ３からの信号を増幅する第１高周波増幅部１２と、第４フィルタ６からの信号を増幅する第３高周波増幅部１３とを有する。また、第１受信部９は、局部発振信号を送出する第１局部発振部１４と、第１高周波増幅部１２もしくは第３高周波増幅部１３からの信号と局部発振信号とを混合する第１混合部１５とを有する。さらに、第１受信部９は、第１混合部１５からの信号のうち、希望信号以外の不要な周波数の信号を抑圧する第１中間周波フィルタ１６と、この第１中間周波フィルタ１６からの信号を増幅する第１中間周波増幅部１７とを有する。
【００１８】
第２受信部１０は、第１受信部９と同様に、第２高周波増幅部１８と、第４高周波増幅部１９と、第２混合部２０と、第２中間周波フィルタ２１と、第２中間周波増幅部２２とを有する。なお、第２混合部２０は、第１受信部９の第１局部発振部１４から局部発振信号を受ける。この構成により、第２受信部１０が局部発振信号を発生する必要がなくなり、受信機の消費電力を低減することができる。
【００１９】
また、復調部１１は、第１中間周波増幅部１７の出力側に接続された第１復調部２３と、第２中間周波増幅部２２の出力側に接続された第２復調部２４とを有し、復調された各々の信号が合成部３１でダイバーシティ合成される。
【００２０】
なお、受信装置１は、チャンネル切替部（図示せず）を有し、ＶＨＦ帯７チャンネル受信が選択された場合、チャンネル切替部は、第１受信部９にＶＨＦ帯７チャンネルの信号を受信させ、第２受信部１０の電源をＯＦＦにする。また、ＶＨＦ帯８チャンネル受信が選択された場合、チャンネル切替部は、第２受信部１０にＶＨＦ帯８チャンネルの信号を受信させ、第１局部発振部１４以外の第１受信部９の電源をＯＦＦにする。さらに、ＵＨＦ帯受信が選択された場合、チャンネル切替部は、第１受信部９及び第２受信部１０にＵＨＦ帯域の信号をダイバシティ受信させる、もしくは、第１受信部９、第２受信部１０のいずれか一方にＵＨＦ帯域の信号をシングル受信させる。ダイバーシティ受信は高速移動時のフェージングなどにより受信性能が劣化した場合に動作させ、静止時などの安定した受信状態においてはシングル受信を行うようにする。また、シングル受信時においては、第１受信部で受信する場合には第２受信部１０の電源をＯＦＦにし、第２受信部で受信する場合には第１局部発振部１４以外の第１受信部９の電源をＯＦＦにすることで受信機の消費電力を低減することができる。
【００２１】
上記構成により、受信信号の損失原因となるスイッチを介さずに、第１受信部９は第１アンテナ２からのＶＨＦ帯７チャンネルの信号を受信し、第２受信部１０は第１アンテナ２からのＶＨＦ帯８チャンネルの信号を受信する。その結果、第１、第２受信部が第１アンテナから受信する信号の強度を向上させ、受信感度の改善が実現する。また、受信装置１内にスイッチが配置されないので、受信装置１の面積を小型にすることができる。
【００２２】
なお、本実施の形態の図１においては第１受信部９、第２受信部１０を個別の受信部として記載しているが、第１受信部９と第２受信部１０は一体の受信部でもよい。さらに、第１受信部９と第２受信部１０および復調部１１が一体の受信部でもよい。受信部の一体化により、電源端子、グランド端子などの端子共通化が図れ、ノイズ対策用コンデンサなどの外部部品削減となる。その結果、受信装置１の面積を小型にすることができる。
【００２３】
（実施の形態２）
以下、本実施の形態における受信装置について図２を参照して説明する。なお、特に説明しない限りは実施の形態１と同様である。
【００２４】
実施の形態２における実施の形態１との相違点は、図２に示されるように、第１アンテナの出力側であって、第１フィルタ２６及び第２フィルタ２７の入力側に第３フィルタ２５が接続されている点である。
【００２５】
第３フィルタ２５は、例えば、ＳＡＷフィルタからなり、ＶＨＦ帯７チャンネルの信号とＶＨＦ帯８チャンネルの両方を通過させる。つまり、第３フィルタ２５は、ＶＨＦ帯７チャンネル及びＶＨＦ帯８チャンネル以外の信号を減衰させ、特にＶＨＦ帯７チャンネルの下側隣接妨害の関係になる６チャンネル、ＶＨＦ帯８チャンネルの上側隣接妨害の関係になる９チャンネルを減衰させる。
【００２６】
第１フィルタ２６及び第２フィルタ２７は、例えば、セラミックフィルタや積層フィルタもしくはコンデンサとコイルを組み合わせたディスクリート型フィルタからなる。第１フィルタ２６及び第２フィルタ２７は、それぞれ第３フィルタ２５の出力信号のうち特定周波数帯のみを減衰させる。第１フィルタ２６は、ＶＨＦ帯７チャンネルの信号を通過させ、ＶＨＦ帯７チャンネルの上側隣接妨害の関係にある８チャンネルを減衰させる。また、第２フィルタ２７は、ＶＨＦ帯８チャンネルの信号を通過させ、ＶＨＦ帯８チャンネルの下側隣接妨害の関係にある７チャンネルを減衰させる。
【００２７】
この構成により、実施の形態１と比べて、ＳＡＷフィルタを１つ削減することができる。その結果、受信装置１を小型にすることができる。
【００２８】
また、実施の形態１の第１フィルタ３、第２フィルタ４に比べて第３フィルタ２５は比帯域幅が広くなるため帯域内の損失が低下する。その結果、受信感度の改善が実現する。
【００２９】
（実施の形態３）
以下、本実施の形態における受信装置１について図３を参照して説明する。なお、特に説明しない限りは実施の形態１と同様である。
【００３０】
実施の形態３における実施の形態１との相違点は、第１受信部９がＶＨＦ帯７チャンネルの希望信号を受信している場合、第２受信部１０で受信されたＶＨＦ帯８チャンネルの妨害信号の強度が検出され、第２受信部１０がＶＨＦ帯８チャンネルの希望信号を受信している場合、第１受信部９で受信されたＶＨＦ帯７チャンネルの妨害信号の強度が検出される点である。
【００３１】
受信装置１は、第１受信部９の出力側に接続された第１検出部２８と、第２受信部１０の出力側に接続された第２検出部２９と、これら第１検出部２８と第２検出部２９の出力側に接続された制御部３０とを有する。この制御部３０の一方の出力は、第１中間周波フィルタ１６の入力側に接続され、制御部３０の他方の出力は、第２中間周波フィルタ２１の入力側に接続されている。
【００３２】
第１検出部２８は、第１受信部９が受信したＶＨＦ帯域７チャンネルの信号の強度を検出し、検出した信号の強度を示す信号を制御部３０に供給する。信号の強度とは、例えばＡＧＣ電圧値である。なお、本実施の形態の図３において第１検出部２８は、第１受信部９の出力側に接続しているが、第１フィルタ３の出力側であれば、どこに接続されていても良く、例えば第１受信部９内に接続されていても良い。
【００３３】
第２検出部２９は、第２受信部１０からのＶＨＦ帯域８チャンネルの信号の強度を検出し、検出した信号の強度を示す信号を制御部３０に供給する。なお、本実施の形態の図３において第２検出部２９は、第２受信部１０の出力側に接続しているが、第２フィルタ４の出力側であれば、どこに接続されても良く、例えば第２受信部１０内に接続されていても良い。
【００３４】
なお、本実施の形態においては、第２混合部２０は、第１受信部９の第１局部発振部１４から局部発振信号を受ける構成としているが、第２受信部１０の局部発振部（図示せず）から局部発信信号を受ける構成でもよい。この構成により、第１検出部２８を第１中間周波フィルタ１６の出力側に接続した場合、および第２検出部２９を第２中間周波フィルタ２１の出力側に接続した場合に、ＶＨＦ帯７チャンネルの妨害信号の強度および、ＶＨＦ帯８チャンネルの妨害信号の強度をより正確に検出することが可能となる。
【００３５】
制御部３０は、第１受信部９でＶＨＦ帯７チャンネルの希望信号が受信されている場合、第４高周波増幅部１９のゲインを固定にし、第２検出部２９からＶＨＦ帯８チャンネルの妨害信号の強度を示す信号を受ける。そして、第２検出部２９が検出した妨害信号の強度が所定レベル以上である場合に、制御部３０は、第１中間周波フィルタ１６におけるＶＨＦ帯域８チャンネル妨害信号の減衰量をさらに増加させる。一方、第２検出部２９が検出した妨害信号の強度が所定レベル未満である場合に、制御部３０は、第１中間周波フィルタ１６におけるＶＨＦ帯域８チャンネル妨害信号の減衰量を減少させる。
【００３６】
一方、第２受信部１０でＶＨＦ帯８チャンネルの信号が希望受信されている場合、第１高周波増幅部１２のゲインを固定にし、制御部３０は、第１検出部２８からＶＨＦ帯７チャンネルの妨害信号の強度を示す信号を受ける。そして、第１検出部２８が検出した妨害信号の強度が所定レベル以上である場合に、制御部３０は、第２中間周波フィルタ２１におけるＶＨＦ帯７チャンネル妨害信号の減衰量をさらに増加させる。一方、第１検出部２８が検出した妨害信号の強度が所定レベル未満である場合に、制御部３０は、第２中間周波フィルタ２１におけるＶＨＦ帯７チャンネル妨害信号の減衰量を減少させる。
【００３７】
つまり、受信装置１は、一方の受信部で希望信号を受信しながら、他方の受信部で受信した妨害信号の強度を検出し、この検出結果に基づいて希望信号を受信している受信部内の中間周波フィルタを制御する。これにより、隣接チャンネル妨害信号の強度が所定レベルより大きい場合に限って、中間周波フィルタの減衰特性を急峻にすればよいので、消費電力を低減することができる。
【００３８】
本実施の形態においては制御部３０の出力は、第１中間周波フィルタ１６および第２中間周波フィルタ２１に接続されているが、第１受信部９内および第２受信部１０内であればどこに接続されていてもよい。なお、第１受信部９もしくは第２受信部１０のうち、妨害信号の強度検出を行う一方の受信部は、受信性能を有していなくてもよい。例えば、制御部３０の出力を第１混合部１５もしくは第２混合部２０の入力に接続した場合には、第２高周波増幅部１８もしくは第１高周波増幅部１２のみを動作させるだけで妨害信号の強度検出が行えるため、受信装置１の消費電力を低減できる。
【００３９】
さらに、妨害信号の強度検出については常時動作させる必要はなく所定のビットエラーレートが得られない場合のみ動作させても良い。
【産業上の利用可能性】
【００４０】
本発明の受信装置は、第１受信部と第２受信部が第１アンテナから受信する信号の強度を向上させるため、自動車に搭載されるテレビや携帯端末などに利用できる。
【図面の簡単な説明】
【００４１】
【図１】本発明の実施の形態１における受信装置のブロック図
【図２】本発明の実施の形態２における受信装置のブロック図
【図３】本発明の実施の形態３における受信装置のブロック図
【図４】従来例における受信装置のブロック図
【符号の説明】
【００４２】
１  受信装置
２  第１アンテナ
３  第１フィルタ
４  第２フィルタ
５  第２アンテナ
６  第４フィルタ
７  第３アンテナ
８  第５フィルタ
９  第１受信部
１０  第２受信部
１１  復調部
【図１】
0004665676.tif 000002
【図２】
0004665676.tif 000003
【図３】
0004665676.tif 000004
【図４】
0004665676.tif 000005